(57)【要約】  本開示によれば、ランプアセンブリの入力からランプアセンブリの負荷へのエネルギーの送達を制御するための制御回路が採用される。当該制御回路は、入力から負荷（例えば、１つ以上の発光ダイオードを含む）に第１の量のエネルギーを伝えて、負荷に伝えられるべきユーザが所望する量のエネルギーを示す調光器の制御設定に従って、負荷がランプアセンブリの外部に光を発生させることをもたらす。当該制御回路はまた、入力から第２の負荷に第２の量のエネルギーを伝えて、第２の負荷（例えば、１つ以上のより低効率の発光ダイオードを含む）がランプアセンブリの外部に第２の量のエネルギーを散逸させることももたらし、ここで、第２の量のエネルギーは、第１の量のエネルギー以外の入力信号中に存在するエネルギーを含む。
2017521833.tif 000002
【特許請求の範囲】
【請求項１】
ランプアセンブリの入力から前記ランプアセンブリの負荷へのエネルギーの送達を制御するための制御回路を含む装置であって、前記制御回路は、
前記ランプアセンブリの前記入力に対する入力信号から、前記入力に電気的に結合された調光器の制御設定を決定し、
前記入力から前記負荷に第１の量のエネルギーを伝えて、前記負荷が前記制御設定に従って前記ランプアセンブリの外部に光を発生させることをもたらし、前記制御設定は、前記負荷に伝えられるべきユーザが所望する量のエネルギーを示し、
前記入力から第２の負荷に第２の量のエネルギーを伝えて、前記第２の負荷が前記ランプアセンブリの外部に前記第２の量のエネルギーを散逸させることをもたらし、前記第２の量のエネルギーは、前記ランプアセンブリと一体化した電磁干渉フィルタから導かれる反応エネルギーを含む、
装置。
【請求項２】
前記第２の負荷が、約５７０ｎｍと約６１０ｎｍとの間の波長の可視光を発生させるランプを含む、請求項１に記載の装置。
【請求項３】
前記ランプが、発光ダイオードを含む、請求項２に記載の装置。
【請求項４】
前記第１の負荷が、白色光を発生させる別のランプを含む、請求項２に記載の装置。
【請求項５】
前記第１の負荷が、前記第２の負荷の電力効率よりも大幅に高い電力効率を有する、請求項４に記載の装置。
【請求項６】
前記第２の量のエネルギーが、前記調光器と前記ランプとの間の互換性を確保にすることに伴う反応エネルギーを含む、請求項１に記載の装置。
【請求項７】
ランプアセンブリの入力から前記ランプアセンブリの負荷へのエネルギーの送達を制御するための制御回路を含む装置であって、前記制御回路は、
前記ランプアセンブリの前記入力に対する入力信号から、前記入力に電気的に結合された調光器の制御設定を決定し、
前記入力から前記負荷に第１の量のエネルギーを伝えて、前記負荷が前記制御設定に従って前記ランプアセンブリの外部に光を発生させることをもたらし、前記制御設定は、前記負荷に伝えられるべきユーザが所望する量のエネルギーを示し、
前記入力から前記ランプアセンブリ内の電圧調整器に第２の量のエネルギーを伝え、前記電圧調整器は、前記ランプアセンブリ中に存在するデバイスに電気エネルギーを供給し、前記第２の量のエネルギーは、前記調光器に関連する反応エネルギーを含む、
装置。
【請求項８】
前記ランプアセンブリ中に存在する前記デバイスが、無線トランシーバを含む、請求項７に記載の装置。
【請求項９】
前記第１の負荷が、ランプを含む、請求項８に記載の装置。
【請求項１０】
ランプアセンブリの入力から前記ランプアセンブリの負荷へのエネルギーの送達を制御するための方法であって、
前記ランプアセンブリの前記入力に対する入力信号から、前記入力に電気的に結合された調光器の制御設定を決定するステップと、
前記入力から前記負荷に第１の量のエネルギーを伝えて、前記負荷が前記制御設定に従って前記ランプアセンブリの外部に光を発生させることをもたらすステップであって、前記制御設定は、前記負荷に伝えられるべきユーザが所望する量のエネルギーを示すステップと、
前記入力から第２の負荷に第２の量のエネルギーを伝えて、前記第２の負荷が前記制御回路の外部に前記第２の量のエネルギーを散逸させることをもたらすステップであって、前記第２の量のエネルギーは、前記ランプアセンブリと一体化した電磁干渉フィルタから導かれる反応エネルギーを含むステップと
を含む、方法。
【請求項１１】
ランプアセンブリの入力から前記ランプアセンブリの負荷へのエネルギーの送達を制御するための方法であって、
前記ランプアセンブリの前記入力に対する入力信号から、前記入力に電気的に結合された調光器の制御設定を決定するステップと、
前記入力から前記負荷に第１の量のエネルギーを伝えて、前記負荷が前記制御設定に従って前記ランプアセンブリの外部に光を発生させることをもたらすステップであって、前記制御設定は、前記負荷に伝えられるべきユーザが所望する量のエネルギーを示すステップと、
前記入力から前記ランプアセンブリ内の電圧調整器に第２の量のエネルギーを伝えるステップであって、前記電圧調整器は、前記ランプアセンブリ中に存在するデバイスに電気エネルギーを供給し、前記第２の量のエネルギーは、前記調光器に関連する反応エネルギーを含むステップと
を含む、方法。
【発明の詳細な説明】
【技術分野】
【０００１】
関連出願の相互参照
本出願は、２０１４年７月１６日に出願された米国仮特許出願第１４／３３２，９３１号に基づく優先権を主張し、これは参照により本明細書に組み込まれる。
【０００２】
開示分野
本開示は、概して、電子工学の分野に関し、より具体的には、照明システムに関連する調光器の所望の動作を維持するためのシステム及び方法に関する。
【背景技術】
【０００３】
多くの電子システムは、調光器と連動するスイッチング電力変換器又は変圧器などの回路を含む。この連動する回路は、調光器により設定された調光レベルに従って電力を負荷に送達する。例えば、照明システムにおいては、調光器は、入力信号を照明システムに提供する。この入力信号は、調光レベルを表すものであり、これにより、照明システムは、ランプに送達される電力を調整し、その調光レベルに応じてランプの輝度を増減させる。多くの異なる種類の調光器が存在する。概して、調光器は、交流（「ＡＣ」）入力信号の一部が除去された又は取り除かれた出力信号を発生させる。例えば、一部のアナログベースの調光器は、交流電源電圧の各周期の位相角を調整するために交流用三極管（「トライアック」）デバイスを利用する。この電源電圧の位相角の調整は、一般的に、電源電圧の「位相カット」とも称される。電源電圧の位相カットは、負荷（例えば、照明システム）に供給される平均電力を低下させ、それにより、負荷に提供されるエネルギーを制御する。
【０００４】
トライアックベースの位相カット調光器の特定の種類のものは、リーディングエッジ調光器として知られている。リーディングエッジ調光器は、ＡＣ周期の開始から位相カットを行うものであり、その結果、調光器は、位相カット角の間は「オフ」であり、出力電圧をその負荷に供給せず、次いで位相カット角の後に「オン」になり、位相カットされた入力信号をその負荷に送ることとなる。適切な作動を確保するために、負荷は、トライアックを開放するのに必要な電流より上の突入電流を維持するのに十分な負荷電流をリーディングエッジ調光器に提供しなければならない。調光器によりもたらされる電圧の急激な上昇及び調光器におけるコンデンサの存在のため、提供されなければならない電流は、典型的に、トライアック伝導に必要な定常電流よりも大幅に大きい。さらに、定常作動において、負荷は、トライアックの時期尚早の遮断を防ぐために必要とされる「保持電流」として知られる別の閾値を上回ったままでいるための負荷電流を調光器に提供しなければならない。
【０００５】
図１は、トライアックベースのリーディングエッジ調光器１０２及びランプ１４２を含む照明システム１００を描いている。図２は、照明システム１００に関連する例示的な電圧及び電流のグラフを描いている。図１及び図２を参照すると、照明システム１００は、電圧源１０４からＡＣ電源電圧ＶＳＵＰＰＬＹを受ける。電源電圧ＶＳＵＰＰＬＹは、例えば、米国においては公称６０Ｈｚ／１１０Ｖの線間電圧又は欧州においては公称５０Ｈｚ／２２０Ｖの線間電圧である。トライアック１０６は、電圧駆動スイッチとして作用し、トライアック１０６のゲート端子１０８は、第１の端子１１０と第２の端子１１２との間の電流の流れを制御する。放電開始閾電圧値ＶＦを上回るゲート端子１０８上のゲート電圧ＶＧは、トライアック１０６がオンになることをもたらし、ひいてはコンデンサ１２１の短絡をもたらし、電流がトライアック１０６を通って流れること及び調光器１０２が出力電流ｉＤＩＭを発生させることを可能にする。
【０００６】
ランプ１４２について抵抗型負荷を想定すると、調光器出力電圧ＶΦ＿ＤＩＭは、半周期２０２及び２０４の各々のそれぞれの時間ｔ０及びｔ２における開始から、ゲート電圧ＶＧが放電開始閾電圧値ＶＦに達するまでゼロボルトである。調光器出力電圧ＶΦ＿ＤＩＭは、調光器１０２の出力電圧を表す。タイマー期間ｔＯＦＦの間、調光器１０２は、調光器出力電圧ＶΦ＿ＤＩＭが時間ｔＯＦＦの間ゼロボルトのままであるように、電源電圧ＶＳＵＰＰＬＹをチョップ又はカットする。時間ｔ１において、ゲート電圧ＶＧは放電開始閾値ＶＦに達し、トライアック１０６は伝導し始める。トライアック１０６がオンになったら、調光器電圧ＶΦ＿ＤＩＭは、時間ｔＯＮの間、電源電圧ＶＳＵＰＰＬＹをトラックする。
【０００７】
トライアック１０６がオンになったら、トライアック１０６から引き出される電流ｉＤＩＭは、トライアック１０６を開放するのに必要な閾値電流より上のトライアック１０６を通る突入電流を維持するために、アタッチ電流（ａｔｔａｃｈ  ｃｕｒｒｅｎｔ）ｉＡＴＴを超えなければならない。さらに、トライアック１０６がオンになったら、トライアック１０６は、電流ｉＤＩＭが保持電流値ｉＨＣを上回ったままでいる限り、ゲート電圧ＶＧの値に関わらず、電流ｉＤＩＭを伝導し続ける。アタッチ電流値ｉＡＴＴ及び保持電流値ｉＨＣは、トライアック１０６の物理的特性の関数である。電流ｉＤＩＭが保持電流値ｉＨＣよりも低くなったら（すなわち、ｉＤＩＭ＜ｉＨＣ）、ゲート電圧ＶＧが再び放電開始閾値ＶＦに達するまで、トライアック１０６はオフになる（すなわち、伝導を停止する）。多くの従前の適用において、保持電流値ｉＨＣは、理想的には電源電圧ＶＳＵＰＰＬＹが時間ｔ２における半周期２０２の終わり近くにおいて約ゼロボルトであるときに電流ｉＤＩＭが保持電流値ｉＨＣよりも低くなるように、一般的に十分に低い。
【０００８】
並列接続された抵抗器１１６及びコンデンサ１１８と直列になっている可変抵抗器１１４は、ゲート電圧ＶＧが放電開始閾値ＶＦに達する時間ｔ１を制御するためのタイミング回路１１５を形成する。可変抵抗器１１４の抵抗を増加させると、時間ｔＯＦＦが増加し、可変抵抗器１１４の抵抗を減少させると、時間ｔＯＦＦが減少する。可変抵抗器１１４の抵抗値が、ランプ１４２についての調光値を効果的に設定する。ダイアック１１９は、トライアック１０６のゲート端子１０８内に電流の流れを提供する。調光器１０２はまた、調光器出力電圧ＶΦ＿ＤＩＭを平滑にするためにインダクタチョーク１２０も含む。当該技術分野において知られているように、インダクタチョークは、より低い周波数の電流又は直流が通過することを可能にしながら電気回路内のより高い周波数の交流（ＡＣ）を阻止するように特異的に設計された受動二端子電子部品（例えば、インダクタ）である。トライアックベースの調光器１０２はまた、電磁干渉を低減するために、トライアック１０６及びインダクタチョーク１２０を跨いで接続されたコンデンサ１２１も含む。
【０００９】
理想的には、調光器出力電圧ＶΦ＿ＤＩＭの位相角を調整することで、電源電圧ＶＳＵＰＰＬＹの各半周期において、効果的に、ランプ１４２を、時間ｔＯＦＦの間はオフにし、時間ｔＯＮの間はオンにする。よって、理想的には、調光器１０２は、調光器出力電圧ＶΦ＿ＤＩＭに従ってランプ１４２に供給される平均エネルギーを効果的に制御する。
【００１０】
トライアックベースの調光器１０２は、ランプ１４２が比較的多量の電力を消費する場合（例えば、白熱電球）など、多くの状況において適切に機能する。しかしながら、より省電力の負荷（例えば、発光ダイオード又はＬＥＤランプ）が調光器１０２に負荷される状況においては、そのような負荷は、少量の電流ｉＤＩＭを引き出し得、電流ｉＤＩＭがアタッチ電流ｉＡＴＴに達することができない可能性があり、また、電源電圧ＶＳＵＰＰＬＹが約ゼロボルトに達する前に電流ｉＤＩＭが時期尚早に保持電流値ｉＨＣよりも低くなる可能性もある。電流ｉＤＩＭがアタッチ電流ｉＡＴＴに達することができない場合は、調光器１０２は時期尚早に接続を断つことがあり、その出力に入力電圧ＶＳＵＰＰＬＹの適切な部分を送らないことがある。電力ｉＤＩＭが時期尚早に保持電流値ｉＨＣよりも低くなる場合は、調光器１０２は時期尚早に止まり、調光器電圧ＶΦ＿ＤＩＭは時期尚早にゼロに下がるであろう。調光器電圧ＶΦ＿ＤＩＭが時期尚早にゼロに下がったときは、調光器電圧ＶΦ＿ＤＩＭは、可変抵抗器１１４の抵抗値によって設定されるような意図された調光値を反映しない。例えば、電流ｉＤＩＭが調光器電圧ＶΦ＿ＤＩＭ２０６についてｔ２より著しく早い時間に保持電流値ｉＨＣより低くなったときは、オン時間ｔＯＮは、時間ｔ２で終了するのではなくｔ２より早い時間に時期尚早に終了し、それにより、負荷に送達されるエネルギーの量を減少させる。よって、負荷に送達されるエネルギーは、調光器電圧ＶΦ＿ＤＩＭに対応する調光レベルと一致しないであろう。さらに、ＶΦ＿ＤＩＭが時期尚早にゼロに下がったときは、コンデンサ１１８及びゲート１０８に電荷が蓄積し得、ゲート電圧ＶＧが同じ半周期２０２若しくは２０４の間に放電開始閾値ＶＦを超えた場合にトライアック１０６が再び再始動することをもたらし、且つ／又はそのような蓄積された電荷のためトライアック１０６が次の半周期において不正確に始動することをもたらす。よって、トライアック１０６の時期尚早の遮断は、調光器１０２のタイミング回路におけるエラー及びその作動における不安定性に繋がり得る。
【００１１】
位相カット調光器の別の特定の種類のものは、トレーリングエッジ調光器として知られている。トレーリングエッジ調光器は、ＡＣ周期の終了から位相カットを行うものであり、その結果、調光器は、位相カット角の間は「オフ」であり、出力電圧をその負荷に供給しないが、位相カット角の前は「オン」であり、理想的な場合においては、その入力電圧に比例した波形をその負荷に送ることとなる。
【００１２】
図３は、トレーリングエッジ位相カット調光器３０２及びランプ３４２を含む照明システム３００を描いている。図４は、照明システム３００に関連する例示的な電圧及び電流のグラフを描いている。図３及び図４を参照すると、照明システム３００は、電圧源３０４からＡＣ電源電圧ＶＳＵＰＰＬＹを受ける。電圧波形４０２により示される電源電圧ＶＳＵＰＰＬＹは、例えば、米国においては公称６０Ｈｚ／１１０Ｖの線間電圧又は欧州においては公称５０Ｈｚ／２２０Ｖの線間電圧である。トレーリングエッジ調光器３０２は、電源電圧ＶＳＵＰＰＬＹの各半周期のトレーリングエッジ（例えば、トレーリングエッジ４０２及び４０４）を位相カットする。電源電圧ＶＳＵＰＰＬＹの各半周期が電源電圧ＶＳＵＰＰＬＹの１８０度であるので、トレーリングエッジ調光器３０２は、０度より大きく１８０度より小さい角度で電源電圧ＶＳＵＰＰＬＹを位相カットする。ランプ３４２への位相カットされた入力電圧ＶΦ＿ＤＩＭは、調光レベルを表すものであり、これにより、照明システム３００は、ランプ３４２に送達される電力を調整し、よってその調光レベルに応じてランプ３４２の輝度を増減させる。
【００１３】
調光器３０２は、調光器制御信号ＤＣＳを発生させてスイッチ３１２のデューティサイクルを制御するタイマー制御器３１０を含む。スイッチ３１２のデューティサイクルは、調光器制御信号ＤＣＳの各周期についてパルス幅（例えば、時間ｔ１−ｔ０）を調光器制御信号期間（例えば、時間ｔ３−ｔ０）で除したものである。タイマー制御器３１０は、所望の調光レベルをスイッチ３１２のためのデューティサイクルに変換する。調光器制御信号ＤＣＳのデューティサイクルは、より低い調光レベル（すなわち、ランプ３４２にとってはより高い輝度）のためには小さくされ、より高い調光レベルのためには大きくされる。調光器制御信号ＤＣＳのパルス（例えば、パルス４０６及びパルス４０８）の間、スイッチ３１２は伝導し（すなわち、「オン」であり）、調光器３０２は低抵抗状態に入る。調光器３０２の低抵抗状態において、スイッチ３１２の抵抗は、例えば、１０オーム以下である。スイッチ３１２の低抵抗状態の間、位相カットされた入力電圧ＶΦ＿ＤＩＭは入力電源電圧ＶＳＵＰＰＬＹをたどり、調光器３０２は調光器電流ｉＤＩＭをランプ３４２に伝える。
【００１４】
タイマー制御器３１０が調光器制御信号４０６のパルスの終了をもたらすと、調光器制御信号４０６はスイッチ３１２をオフにし、これによって調光器３０２は高抵抗状態に入る（すなわち、オフになる）。調光器３０２の高抵抗状態において、スイッチ３１２の抵抗は、例えば、１キロオームより大きい。調光器３０２は、コンデンサ３１４を含み、コンデンサ３１４は、タイマー制御信号ＤＣＳの各パルスの間、電源電圧ＶＳＵＰＰＬＹまで充電される。調光器３０２の高抵抗状態及び低抵抗状態の両方において、コンデンサ３１４は、スイッチ３１２を跨いで接続されたままである。スイッチ３１２がオフで、調光器３０２が高抵抗状態に入ったとき、コンデンサ３１４を横切る電圧ＶＣは（例えば、時間ｔ１〜ｔ２の間及び時間ｔ４〜ｔ５の間において）増加する。増加の割合は、コンデンサ３１４のキャパシタンスＣの量及びランプ３４２の入力インピーダンスの関数である。ランプ３４２の実効入力抵抗が十分に低ければ、それは、位相カットされた入力電圧ＶΦ＿ＤＩＭが、調光器制御信号ＤＣＳの次のパルスの前に（例えば、時間ｔ２及びｔ５において）ゼロ交差まで減衰することを可能にするのに十分な高い値の調光器電流ｉＤＩＭを可能にする。
【発明の概要】
【発明が解決しようとする課題】
【００１５】
調光器による光源の調光は、光源を操作する際のエネルギーを節約し、さらに、ユーザが光源の強度を所望のレベルに調整することを可能にする。しかしながら、抵抗型負荷（例えば、白熱電球）用に設計された従来の調光器（例えば、トライアックベースのリーディングエッジ調光器及びトレーリングエッジ調光器）は、多くの場合、省電力ランプに関連して使用され得るような反応負荷（例えば、電子電力変換器）に未処理の位相変調信号を供給する場合には良好に機能しない。よって、そのような反応負荷を含む照明システムは、典型的には、調光器が安定した様式で動作するように調光器と負荷との間の互換性を達成するために、調光器及び照明システムの他の構成要素の反応エネルギーを処理するための回路を含まなければならない。図５及び図６は、そのような反応エネルギーを処理するための公知のアプローチを採用した照明システムを描いている。
【００１６】
図５の照明システム５００において、調光器電圧ＶΦ＿ＤＩＭは、調光器５０２の調光器制御設定（例えば、位相角）に従って所望のエネルギー出力をランプ５４２に提供するために、電力変換器５２２により出力電圧ＶＯＵＴに変換される。追加的な反応エネルギー、付加電流を提供することに関連するアタッチエネルギー、又は照明システム５００中に存在する他のエネルギーは、ランプアセンブリハウジングランプ５４２と一体化した散逸回路５５２において散逸され得、よって熱を発生させ得る。一部の照明システム（例えば、２３０Ｖ電源に結合されたもの）においては、散逸回路５５２への散逸されるべきエネルギーの量は著しいものであり得、電力変換器５２２の熱設計に対する課題を提起する。
【００１７】
図６の照明システム６００において、調光器電圧ＶΦ＿ＤＩＭは、調光器６０２の調光器制御設定（例えば、位相角）に従って所望のエネルギー出力をランプ６４２に提供するために、電力変換器６２２により出力電圧ＶＯＵＴに変換される。さらに、追加的な反応エネルギー、付加電流を提供することに関連するアタッチエネルギー、又は照明システム６００中に存在する他のエネルギーもまた、その反応エネルギー、アタッチエネルギー、又は他のエネルギーを散逸させるためにランプ６４２に供給され得る。図６に描かれたアプローチは設計上の選択肢であるが、図６のアプローチはランプアセンブリの内部へのエネルギーの散逸を回避するためにランプ６４２に散逸されるべきエネルギーを送るという点で、それは図５におけるアプローチに勝るそれの利点を有し得る。しかしながら、そのようなアプローチは、照明システム６００の調光範囲を制限し得る。例えば、図６に描かれたアプローチは、ランプ６４２が最低でその最大出力レベルの２５％まで調光されることを可能にするという場合があり、よって望ましくない場合がある。
【課題を解決するための手段】
【００１８】
本開示の教示によれば、照明システムにおいて調光器の所望の動作を維持することに関連する特定の不利点及び問題点が軽減又は排除され得る。
【００１９】
本開示の実施形態によれば、装置は、ランプアセンブリの入力からランプアセンブリの負荷へのエネルギーの送達を制御するための制御回路を含み得る。この制御回路は、ランプアセンブリの入力に対する入力信号から、入力に電気的に結合された調光器の制御設定を決定し、入力から負荷に第１の量のエネルギーを伝えて、負荷が制御設定に従ってランプアセンブリの外部に光を発生させることをもたらし（ここで、この制御設定は、負荷に伝えられるべきユーザが所望する量のエネルギーを示す）、入力から第２の負荷に第２の量のエネルギーを伝えて、第２の負荷がランプアセンブリの外部に第２の量のエネルギーを散逸させることをもたらす（ここで、この第２の量のエネルギーは、第１の量のエネルギー以外の入力信号中に存在するエネルギーを含む）ように構成され得る。
【００２０】
本開示のこれらの及び他の実施形態によれば、装置は、ランプアセンブリの入力からランプアセンブリの負荷へのエネルギーの送達を制御するための制御回路を含み得る。この制御回路は、ランプアセンブリの入力に対する入力信号から、入力に電気的に結合された調光器の制御設定を決定し、入力から負荷に第１の量のエネルギーを伝えて、負荷が制御設定に従ってランプアセンブリの外部に光を発生させることをもたらし（ここで、この制御設定は、負荷に伝えられるべきユーザが所望する量のエネルギーを示す）、入力からランプアセンブリ内の電圧調整器に第２の量のエネルギーを伝える（ここで、この電圧調整器は、ランプアセンブリ中に存在するデバイスに電気エネルギーを供給するように構成され、第２の量のエネルギーは、第１の量のエネルギー以外の入力信号中に存在するエネルギーを含む）ように構成され得る。
【００２１】
本開示のこれらの及び他の実施形態によれば、ランプアセンブリの入力からランプアセンブリの負荷へのエネルギーの送達を制御するための方法は、ランプアセンブリの入力に対する入力信号から、入力に電気的に結合された調光器の制御設定を決定することと、入力から負荷に第１の量のエネルギーを伝えて、負荷が制御設定に従ってランプアセンブリの外部に光を発生させることをもたらすステップ（ここで、この制御設定は、負荷に伝えられるべきユーザが所望する量のエネルギーを示す）と、入力から第２の負荷に第２の量のエネルギーを伝えて、第２の負荷がランプアセンブリの外部に第２の量のエネルギーを散逸させることをもたらすステップ（ここで、この第２の量のエネルギーは、第１の量のエネルギー以外の入力信号中に存在するエネルギーを含む）とを含み得る。
【００２２】
本開示のこれらの及び他の実施形態によれば、ランプアセンブリの入力からランプアセンブリの負荷へのエネルギーの送達を制御するための方法は、ランプアセンブリの入力に対する入力信号から、入力に電気的に結合された調光器の制御設定を決定することと、入力から負荷に第１の量のエネルギーを伝えて、負荷が制御設定に従ってランプアセンブリの外部に光を発生させることをもたらすステップ（ここで、この制御設定は、負荷に伝えられるべきユーザが所望する量のエネルギーを示す）と、入力からランプアセンブリ内の電圧調整器に第２の量のエネルギーを伝えるステップ（ここで、この電圧調整器は、ランプアセンブリ中に存在するデバイスに電気エネルギーを供給するように構成され、第２の量のエネルギーは、第１の量のエネルギー以外の入力信号中に存在するエネルギーを含む）とを含み得る。
【００２３】
本開示の技術的利点は、本出願に含まれる図、明細書及び特許請求の範囲から当業者に容易に明らかになり得る。実施形態の目的及び利点は、少なくとも特許請求の範囲において特に指摘された要素、特徴、及び組み合わせにより、実現され達成される。
【００２４】
上述の一般的な説明及び以下の詳細な説明の両方が、例示であり、説明のためのものであり、本開示に示される特許請求の範囲を限定するものではないことが理解されるべきである。
【図面の簡単な説明】
【００２５】
本実施形態及びその利点のより完全な理解は、添付の図面に関連して解釈される以下の説明を参照することにより獲得され得る。添付の図面において、同じ参照番号は同じ特徴を示す。
【００２６】
【図１】トライアックベースのリーディングエッジ調光器を含む、当該技術分野で知られているような照明システムを図示している。
【図２】当該技術分野で知られているような図１に描かれた照明システムに関連する例示的な電圧及び電流のグラフを図示している。
【図３】位相カットトレーリングエッジ調光器を含む、当該技術分野で知られているような照明システムを図示している。
【図４】当該技術分野で知られているような図３に描かれた照明システムに関連する例示的な電圧及び電流のグラフを図示している。
【図５】照明システムの反応エネルギーを散逸させるための回路を含む、当該技術分野で知られているような照明システムを図示している。
【図６】照明システムの反応エネルギーを散逸させるための回路を含む、当該技術分野で知られているような別の照明システムを図示している。
【図７】省電力ランプと照明システムの他の素子との間の互換性を提供するための制御回路を含む、本開示の実施形態に従う例示的な照明システムを図示している。
【図８Ａ】副ランプを制御するためのバックブースト変換器を含む制御回路を有する、本開示の実施形態に従う例示的なランプアセンブリを図示している。
【図８Ｂ】図８Ａのものに代わるバックブースト変換器の実施形態を含む、図８Ａにおけるのと同様に副ランプを制御するためのバックブースト変換器を含む制御回路を有する、本開示の実施形態に従う例示的なランプアセンブリを図示している。
【図９】副ランプを制御するための自律ブロッキング発振器を含む制御回路を有する、本開示の実施形態に従う例示的なランプアセンブリを図示している。
【図１０Ａ】電磁干渉フィルタから副ランプにエネルギーを導く制御回路を有する、本開示の実施形態に従う例示的なランプアセンブリを図示している。
【図１０Ｂ】電磁干渉フィルタから副ランプにエネルギーを導く制御回路を有する、本開示の実施形態に従う別の例示的なランプアセンブリを図示している。
【図１１】電力変換器のインダクタから副ランプにエネルギーを導く制御回路を有する、本開示の実施形態に従う例示的なランプアセンブリを図示している。
【図１２】図１１の制御回路のものと類似しているが、電圧調整器へのエネルギーの送達を含む制御回路を有する、本開示の実施形態に従う例示的なランプアセンブリを図示している。
【図１３】インダクタのフライバックストロークを用いて電力変換器のインダクタから副ランプにエネルギーを導く制御回路を有する、本開示の実施形態に従う例示的なランプアセンブリを図示している。
【図１４】インダクタのフォワードストロークを用いて電力変換器のインダクタから副ランプにエネルギーを導く制御回路を有する、本開示の実施形態に従う例示的なランプアセンブリを図示している。
【図１５】副ランプを制御するためのバックブースト変換器を含む制御回路を有する、本開示の実施形態に従う例示的なランプアセンブリを図示しており、このバックブースト変換器は、電磁干渉フィルタのインダクタを活用する。
【図１６Ａ】フライバックトポロジーを用いて副ランプを制御するためのバックブースト変換器を含む制御回路を有する、本開示の実施形態に従う例示的なランプアセンブリを図示しており、このバックブースト変換器は、電磁干渉フィルタのインダクタを活用する。
【図１６Ｂ】フライバックトポロジーを用いて副ランプを制御するためのバックブースト変換器を含む制御回路を有する、本開示の実施形態に従う別の例示的なランプアセンブリを図示しており、このバックブースト変換器は、電磁干渉フィルタのインダクタを活用する。
【図１７】省電力ランプと照明システムの他の素子との間の互換性を提供するための制御回路を含む、本開示の実施形態に従う別の例示的な照明システムを図示している。
【発明を実施するための形態】
【００２７】
図７は、省電力ランプ７４２と照明システム７００の他の素子との間の互換性を提供するための制御回路７１２を含む、本開示の実施形態に従う例示的な照明システム７００を図示している。図７に示されるように、照明システム７００は、電圧源７０４、調光器７０２、及びランプアセンブリ７３２を含み得る。電圧源７０４は、例えば米国においては公称６０Ｈｚ／１１０Ｖの線間電圧又は欧州においては公称５０Ｈｚ／２２０Ｖの線間電圧である、電源電圧ＶＳＵＰＰＬＹを発生させ得る。
【００２８】
調光器７０２は、照明システム７００の他の素子への調光信号ｖΦ＿ＤＩＭを発生させるための任意のシステム、デバイス、又は装置を含み得、この調光信号は、調光レベルを表すものであり、これにより、照明システム７００は、ランプに送達される電力を調整し、よってその調光レベルに応じてランプ７４２の輝度を増減させる。よって、調光器７０２は、図１に描かれたものと同様若しくは同一のリーディングエッジ調光器、図３に描かれたものと同様のトレーリングエッジ調光器、又は任意の他の好適な調光器を含み得る。
【００２９】
ランプアセンブリ７３２は、その入力において受けた電気エネルギーの全て又は一部をランプ７４２によって光子エネルギーに変換するための任意のシステム、デバイス、又は装置を含み得る。さらに、ランプアセンブリ７３２は、調光器７０２とランプ７４２との間の互換性を提供するための回路を含み得る。一部の実施形態において、ランプアセンブリ７３２は、多面反射体形態要素（例えば、ＭＲ１６形態要素）を含み得る。図７に示されるように、ランプアセンブリ７３２は、整流器７３４、電磁干渉（ＥＭＩ）フィルタ７３６、電力変換器７２２、主ランプ７４２、副ランプ７５２、及び制御回路７１２を含み得る。
【００３０】
整流器７３４は、交流電圧調光信号ｖΦ＿ＤＩＭの全体を一方の極性のみを有する整流された電圧信号ｖＲＥＣに変換するための、当該技術分野で知られているような任意の好適な電気又は電子デバイスを含み得る。
【００３１】
ＥＭＩフィルタ７３６は、ランプアセンブリ７３２に影響を与え得る整流電圧信号ｖＲＥＣ中に存在し得る電磁干渉をフィルタリング又は拒否するための、当該技術分野で知られているような任意の好適な電気又は電子デバイスを含み得、よって、フィルタリングされた整流電圧ｖＲＥＣ＿Ｆを発生させ得る。
【００３２】
電力変換器７２２は、入力電圧（例えば、ｖＲＥＣ＿Ｆ）を異なる出力電圧（例えば、ｖＯＵＴ）に変換するように構成された任意のシステム、デバイス、又は装置を含み得、この変換は、制御信号（例えば、制御回路７１２から伝達されたパルス幅変調制御信号）に基づくものである。したがって、電力変換器７２２は、ブースト変換器、バック変換器、ブーストバック変換器、別の好適な電力変換器、又はその任意の組み合わせを含み得る。
【００３３】
主ランプ７４２は、電気エネルギー（例えば、電力変換器７２２）を光子エネルギーに変換するための任意のシステム、デバイス、又は装置を含み得る。一部の実施形態において、主ランプ７４２は、ＬＥＤランプを含み得る。
【００３４】
同様に、副ランプ７５２は、（例えば、調光器７０２により送達される）電気エネルギーを光子エネルギーに変換するための任意のシステム、デバイス、又は装置を含み得る。一部の実施形態において、副ランプ７５２は、ＬＥＤランプを含み得る。一部の実施形態において、副ランプ７５２は、主ランプ７４２よりも著しく低い電力効率の（例えば、その２分の１以下の電力効率を有する）ものであり得る。これらの及び他の実施形態において、主ランプ７４２は、主として白色光を発生させるように適合され得、副ランプ７５２は、約６７０ナノメートル〜約７１０ナノメートルの波長範囲内にある琥珀色光を発生させるように適合され得る。
【００３５】
制御回路７１２は、本開示の他のところでより詳細に説明されるように、ランプアセンブリの入力に対する入力信号（例えば、調光信号ｖΦ＿ＤＩＭ、又はその誘導体（例えば、整流電圧信号ｖＲＥＣ若しくはフィルタリングされた整流電圧信号ｖＲＥＣ＿Ｆ））から、調光器７０２の制御設定（例えば、位相角）を決定するように構成された任意のシステム、デバイス、又は装置を含み得る。そのような制御設定は、主ランプ７４２に伝えられるべきユーザが所望する量のエネルギーを示し得る。制御回路７１２はまた、入力から主ランプ７４２に第１の量のエネルギーを伝えて、主ランプ７４２が制御設定に従ってランプアセンブリ７３２の外部に光を発生させることをもたらすように構成され得る。制御回路７１２はさらに、入力から副ランプ７５２に第２の量のエネルギーを伝えて、第２の負荷がランプアセンブリ７３２の外部に第２の量のエネルギーを散逸させることをもたらすように構成され得、ここで、第２の量のエネルギーは、第１の量のエネルギー以外の入力信号中に存在するエネルギーを含む。副ランプ７５２に伝えられる第２の量のエネルギーは、調光器７０２に関連する反応エネルギー（例えば、調光器７０２とランプ７４２との間の互換性を確保することに伴う反応エネルギー）、ＥＭＩフィルタ７３６に関連する反応エネルギー、及び／又は照明システム７００中に存在する他の反応エネルギーを含み得る。
【００３６】
反応エネルギーを副ランプ７５２に導くことにより、照明システム７００は、従前の調光器互換性アプローチと比較して、多くの利点を有し得る。例えば、エネルギーは多くの従来技術アプローチの場合のように内部に散逸される代わりにランプアセンブリ７３２の外部に副ランプ７５２により出力されるので、温度管理を提供すること及びランプアセンブリ７３２の冷却における課題は低減又は排除され得る。
【００３７】
別の例として、ランプアセンブリ７３２は、ランプアセンブリ７３２が調光器に結合されていなければ副ランプ７５２は光を発生させないこととなるように構成され得る。よって、ランプアセンブリの仕様は、副ランプ７５２の付加だけで、修正を必要としない場合がある。
【００３８】
さらなる例として、本明細書に記載される方法及びシステムは、従前のアプローチに比べて実効調光範囲を増加させ得る。副ランプ７５２の効率が主ランプ７４２のものよりも著しく低くなるように選択される実施形態において、副ランプ７５２の実効光出力は、図６に示されるような反応エネルギーが主負荷に指向されるアプローチと比較して実効調光範囲を増加させ得る。
【００３９】
さらに別の例として、本明細書に記載される方法及びシステムは、光強度対制御設定の任意の特定の標的を達成するために色を混合しようとしないものであり得る。その代わりに、位相角が減少されるにつれて主ランプ７４２への電力は比例的に低下するが、照明システム７００における反応エネルギーは低下しないものであり得る。しかしながら、反応エネルギーは、一部の実施形態においては主ランプ７４２より低い色温度を有する副ランプ７５２に指向されるので、ランプアセンブリ７３２による光出力は、より小さい調光器位相角で審美的に心地よいより暖かい色を達成し得る。
【００４０】
追加的な例として、本明細書に記載される方法及びシステムは、比較的より低コストのものであり得、且つ／又は従前のアプローチと比較してより小さい物理的体積を占め得る。従前のアプローチにおいて、反応エネルギーを散逸させるために使用される散逸素子は、典型的には嵩高く、著しい量の空間を必要とする。
【００４１】
制御回路７１２は、本開示に記載される制御回路の機能を果たすために任意の好適な様式で実装され得る。制御回路の例示的な実装は、図８〜図１６に示されており、後述される。
【００４２】
図８Ａは、副ランプ７５２を制御するためのバックブースト変換器８０２Ａを含む制御回路７１２Ａを有する、本開示の実施形態に従う例示的なランプアセンブリ７３２Ａを図示している。この実装において、パルス幅変調（ＰＷＭ）制御装置８０４は、スイッチ８０６がアクティブであるときにはインダクタ８０８に充電し、スイッチ８０６がインアクティブであるときにはインダクタ８０８から副ランプ７５２に放電するように、スイッチ８０６を作動及び非作動にし得る。制御回路７１２Ａは、副ランプ７５２に指向されるべき照明システム７００の反応エネルギーが存在していると判断したとき、バックブースト変換器８０２Ａを作動させ得る。図８Ｂは、バックブースト変換器８０２Ｂが異なるトポロジーを有している、図８Ａにおける実装の代替的な実装を図示している。この実装において、パルス幅変調（ＰＷＭ）制御装置８０４は、スイッチ８０６を作動及び非作動にし得る。スイッチ８０６が作動にされているときは、電流は二巻線インダクタ８１０の巻線８１２を通って流れ、よって、巻線８１４に電荷を蓄える。スイッチ８０６が非作動にされているときは、巻線８１４が、ブリッジ整流器８１６を介して副ランプ７５２に放電され得る。
【００４３】
図９は、副ランプ７５２を制御するための自律ブロッキング発振器を実装した制御回路７１２Ｂを有する、本開示の実施形態に従う例示的なランプアセンブリ７３２Ｂを図示している。作動において、ブロッキング発振器がＥＮＡＢＬＥという信号を介して動作可能にされると、電流が抵抗器９０２を通って流れてトランジスタ９０４にバイアスをかけ続け得る。これが、ひいては、電流がインダクタ９０６の巻線９０８を通って流れることをもたらし得、さらに二巻線インダクタ９０６の巻線９１０を通る流れも起こし得、これが、ダイオード９１２に順方向バイアスをかけ、コンデンサ９１４がトランジスタ９０４のベースに電荷をダンプすることを可能にし得る。インダクタ９０６の巻線９０８を通る電流は、そのインダクタンスによって支配され得、抵抗器９１６上の電圧がインダクタ９０６の巻線９１０の駆動能力を制限するまで増加し得る。この時点で、トランジスタ９０４は、インダクタ９０６の巻線９０８を通って流れる電流を制限し得、インダクタ９０６の巻線９０８は、電流の変化に電圧で応答し得る。インダクタ９０６の巻線９１０がこれに続き得、抵抗器９１８を通るトランジスタ９０４のベースからの電流経路を提供し得る。電流の急激な減少によるインダクタ９０６の巻線９０８を横切る電圧の逆転は、ダイオード９２０に順方向バイアスをかけ、副ランプ７５２内に電流を送り得る。インダクタ９０６に蓄えられたエネルギーが副ランプ７５２内への電流中に排出されると、インダクタ９０６の巻線が振動し始め、トランジスタ９０４が再び伝導することをもたらす。この時点で、インダクタ９０６の巻線９０８を通る電流が増加し得、自律ブロッキング振動器のための新たなスイッチングサイクルを開始する。
【００４４】
図１０Ａは、ＥＭＩフィルタ７３６から副ランプ７５２にエネルギーを導く制御回路７１２Ｃを有する、本開示の実施形態に従う例示的なランプアセンブリ７３２Ｃを図示している。この実施形態において、インダクタ１００２は、巻線１００４及び１００６を有する二巻線インダクタを含み得る。トレーリングエッジ調光器において、調光器の始動及びトレーリングエッジ放電は、インダクタ１００２の巻線１００４を通る電流の大きな割合の変化を起こし得る。この大きな変化は、ひいては、インダクタ１００２の巻線１００６上に電圧を誘導し得、よって、副ランプ７５２にエネルギーを指向させ得る。図１０Ｂは、図１０Ａに示されるようなシングルダイオード整流器ではなく、ブリッジ整流器１０１０が巻線１００６と副ランプ７５２との間に結合された制御回路７１２Ｃの代替的な実装を図示している。一部の代替的な実施形態において、制御回路７１２Ｃは、図１０Ａ及び図１０Ｂに示されるように実装される代わりに、ブロッキング発振器を実装した制御回路７１２Ｂのものと類似した回路を含み得る。
【００４５】
図１１は、電力変換器７２２の二巻線インダクタ１１０２から副ランプ７５２にエネルギーを導く制御回路７１２Ｄを有する、本開示の実施形態に従う例示的なランプアセンブリ７３２Ｄを図示している。この実装において、制御回路７１２Ｄが副ランプ７５２にエネルギーが伝えられるべきであると判断したとき、制御回路はスイッチ１１０８を動作可能にし得る。スイッチ１１１０が動作可能にされると、インダクタ１１０２の巻線１１０４が充電され得る。スイッチ１１１０が動作不可にされると、インダクタ１１０２内のエネルギーが、巻線１１０４と１１０６との間でそれらの巻線間の反射電圧の比に基づいて分割され得る。
【００４６】
図１２は、図１１の制御回路７１２Ｄのものと類似した制御回路７１２Ｅを有し、インダクタ１１０２の巻線１１０６からのエネルギーが電圧調整器１２０２にも送達される、例示的なランプアセンブリ７３２Ｅを図示している。そのような電圧調整器１２０２は、ランプアセンブリ７３２Ｅ内にバイアス電圧を発生させるために使用され得る。
【００４７】
図１３は、インダクタ１３０２のフライバックストロークを用いて電力変換器７２２のインダクタ１３０２から副ランプ７５２にエネルギーを導く制御回路７１２Ｆを有する、本開示の実施形態に従う例示的なランプアセンブリ７３２Ｆを図示している。この実装において、インダクタ１３０２のフォワードストロークは、インダクタ１３０２の巻線１３０６内にバイアス電圧を発生させるために使用され得、フライバックストロークは、スイッチ１３０８が動作可能にされれば巻線１３０６から副ランプ７５２に電力を送達し得る。スイッチ１３１０が動作可能にされると、インダクタ１３０２の巻線１３０４及び１３０６は充電され得る。スイッチ１３１０が動作不可にされると、巻線１３０４は主ランプ７４２に放電し得、巻線１３０６は、スイッチ１３１０が動作不可にされている間、スイッチ１３０８が動作可能にされると副ランプ７５２に放電し得る。さらに、スイッチ１３１０が動作不可にされると、ランプアセンブリ７３２Ｆ内に電圧を再発生させるために、巻線１３０６は、電圧調整器１３１２に放電し得る。巻線１３０６と類似した補助巻線を用いたそのような電圧再発生は、多くの場合、既存のランプアセンブリにおいて一般的であり、よって、副ランプ７５２にエネルギーを提供するためにそのような補助巻線１３０６を活用することは、コスト及び設計の複雑さを低減し得る。
【００４８】
図１４は、インダクタ１４０２のフォワードストロークを用いて電力変換器７２２のインダクタ１４０２から副ランプ７５２にエネルギーを導く制御回路７１２Ｇを有する、本開示の実施形態に従う例示的なランプアセンブリ７３２Ｇを図示している。この実装において、インダクタ１４０２のフライバックストロークは、インダクタ１４０２の巻線１４０６内にバイアス電圧を発生させるために使用され得、フォワードストロークは、スイッチ１４０８が動作可能にされれば巻線１４０６から副ランプ７５２に電力を送達し得る。スイッチ１４１０が動作可能にされると、インダクタ１４０２の巻線１４０４及び１４０６は充電され得、スイッチ１４０８が動作可能にされると、巻線１４０６は副ランプ７５２に放電し得る。スイッチ１４１０が動作不可にされると、巻線１４０４は主ランプ７４２に放電し得る。さらに、スイッチ１４１０が動作不可にされると、ランプアセンブリ７３２Ｇ内に電圧を再発生させるために、巻線１４０６は電圧調整器１４１２に放電し得る。この場合も、図１３におけるのと同様に、巻線１４０６と類似した補助巻線を用いたそのような電圧再発生は、多くの場合、既存のランプアセンブリにおいて一般的であり、よって、副ランプ７５２にエネルギーを提供するためにそのような補助巻線１４０６を活用することは、コスト及び設計の複雑さを低減し得る。
【００４９】
図１５は、副ランプ７５２を制御するためのバックブースト変換器を実装するためにＥＭＩフィルタ７３６のインダクタ１５０２を活用する制御回路７１２Ｈを有する、本開示の実施形態に従う例示的なランプアセンブリ７３２Ｈを図示している。作動において、スイッチ１５０４が動作可能にされると、インダクタ１５０２は充電され得る。スイッチ１５０４が動作不可にされると、インダクタ１５０２は、副ランプ７５２にエネルギーを送達する。インダクタ１５０２及び制御回路７１２Ｈによって構成されるバックブースト変換器は、反応調光器エネルギー、調光器アタッチエネルギー、又は他のエネルギーが処理されることを必要とする場合にのみアクティブになり得るのであるが、これは、整流電圧ｖＲＥＣがフィルタリングされた整流電圧ｖＲＥＣ＿Ｆを上回る場合に起こる。
【００５０】
図１６Ａは、副ランプ７５２を制御するためのバックブースト変換器を実装するためにＥＭＩフィルタ７３６のインダクタ１６０２を活用する制御回路７１２Ｉを有する、本開示の実施形態に従う例示的なランプアセンブリ７３２Ｉを図示している。例示的なランプアセンブリ７３２Ｉは、ランプアセンブリ７３２Ｉがフライバックトポロジーを利用すること以外はランプアセンブリ７３２Ｈのものと同一である。ＰＷＭ信号がアクティブである（例えば、高い）ときは、エネルギーはインダクタ１６０２に蓄えられる。ＰＷＭ信号がインアクティブである（例えば、低い）ときは、インダクタは副負荷７５２にエネルギーを放電する。図１６Ｂは、図１６Ａに示されるようなシングルダイオード整流器ではなく、ブリッジ整流器１６１０が二巻線インダクタ１６０２の１つの巻線と副ランプ７５２との間に結合された制御回路７１２Ｉの代替的な実装を図示している。
【００５１】
図１７は、省電力ランプ７４２と照明システム１７００の他の素子との間の互換性を提供するための制御回路７１２を含む、本開示の実施形態に従う例示的な照明システム１７００を図示している。図１７は、副ランプ７５２が電圧調整器１７５２に置き換えられ、無線トランシーバ１７５４が照明システム１７００に付加されること以外は、図７と同一である。一部の実施形態において、照明システム１７００の調光器７０２、ＥＭＩフィルタ７３６、及び／又は他の構成要素の反応エネルギーは、さらに又は副ランプ７５２の代わりに、電圧調整器１７５２に送達され得る。そのような実施形態において、電圧調整器１７５２は、ランプアセンブリ７３２中に存在するデバイスに電気エネルギーを供給するように構成され得る。そのような実施形態のいくつかにおいて、そのような電気エネルギーが供給されるそのようなデバイスは、ランプアセンブリ７３２への及び／又はランプアセンブリ７３２からの信号を伝達するための無線トランシーバを含み得る。
【００５２】
本明細書で使用される場合、２つ以上の素子が互いに「結合された」と言われるときは、そのような用語は、そのような２つ以上の素子が、介在素子を伴って、又は伴わずに、間接的に連結されているか、又は直接的に連結されているかに関わらず、電子連通していることを示す。
【００５３】
本開示は、当業者であれば理解するであろう本明細書における例示的な実施形態に対する全ての変更、置換、変形、修正、及び改変を包含する。同様に、適切な場合には、添付の特許請求の範囲は、当業者であれば理解するであろう本明細書における例示的な実施形態に対する全ての変更、置換、変形、修正、及び改変を包含する。さらに、特定の機能を実施するように適合される、配置される、能力を有する、構成される、能力が与えられる、操作可能である、又は機能する、装置若しくはシステム又は装置若しくはシステムの構成要素への添付の特許請求の範囲における言及は、その装置、システム、又は構成要素を、それ又はその特定の機能が作動されるか否か、発揮されるか否か、又は引き出されるか否かに関わらず、その装置、システム、又は構成要素が、そのように適合される、配置される、能力を有する、構成される、能力が与えられる、操作可能である、又は機能する限り包含する。
【００５４】
本明細書に記載される全ての例及び条件付き文言は、当該技術分野を促進するために本発明者により寄与された開示及び概念を理解することに関して読者の助けとなるべき教示目的のために意図されたものであり、そのような具体的に記載された例及び条件に限定するものではないと解釈される。本開示の実施形態を詳細に説明したが、様々な変更、置換、及び修正が、本開示の精神及び範囲から逸脱することなしに本発明に加えられ得ることが理解されるべきである。
【図１】
2017521833.tif 000003
【図２】
2017521833.tif 000004
【図３】
2017521833.tif 000005
【図４】
2017521833.tif 000006
【図５】
2017521833.tif 000007
【図６】
2017521833.tif 000008
【図７】
2017521833.tif 000009
【図８Ａ】
2017521833.tif 000010
【図８Ｂ】
2017521833.tif 000011
【図９】
2017521833.tif 000012
【図１０Ａ】
2017521833.tif 000013
【図１０Ｂ】
2017521833.tif 000014
【図１１】
2017521833.tif 000015
【図１２】
2017521833.tif 000016
【図１３】
2017521833.tif 000017
【図１４】
2017521833.tif 000018
【図１５】
2017521833.tif 000019
【図１６Ａ】
2017521833.tif 000020
【図１６Ｂ】
2017521833.tif 000021
【図１７】
2017521833.tif 000022
【国際調査報告】
2017521833.tif 000023
2017521833.tif 000024
2017521833.tif 000025